(57)【特許請求の範囲】
【請求項１】
前身頃と後身頃とからなり、少なくとも前記前身頃全体が、本体生地と、該本体生地の内側に設けられた透視防止用生地とから構成されてなり、前記本体生地がレース生地であって、前記本体生地と透視防止用生地が衿ぐり部及び袖ぐり部において袋縫いにより縫着されていることを特徴とするアウターウエア兼用型インナーウエア。
【請求項２】
前記透視防止用生地が、吸汗性、肌触り性、抗アレルギー性の少なくともいずれか一つの性質が良好な生地であることを特徴とする請求項１に記載のアウターウエア兼用型インナーウエア。
【発明の詳細な説明】
【０００１】
【発明の属する技術分野】
本発明は、アウターウエア兼用型インナーウエアに関し、より詳しくは、アウターウエアとして着用した際に胸元が透けて見えないような構成とすることにより、着用者が安心して利用することができるアウターウエア兼用型インナーウエアに関する。
【０００２】
【従来の技術】
近年、女性用衣服の種類として、アウターウエアとして着用可能なインナーウエア、すなわちアウターウエア兼用型インナーウエアが製造されている。このインナーウエアの例としては、キャミソール型化粧着がある。このキャミソール型化粧着に代表されるアウターウエア兼用型インナーウエアは一般に皮膚の露出度の高い形態のものであり、近年、夏期の遊び着として流行している。このインナーウエアは、一般に、レース生地等の透けて見えやすい生地から構成されている。
【０００３】
【発明が解決しようとする課題】
しかしながら、前記した従来の技術には、以下のような課題が存在した。
すなわち、上記したアウターウエア兼用型インナーウエアは、前身頃がレース生地等の透けて見えやすい生地から構成されていたので、その下にブラジャーを着用した場合には、ブラジャーが透けて見えてしまうという問題があった。また、近年はブラジャーを着用しない女性もおり、このような人が上記したインナーウエアを着用した場合には、乳房が透けて見えてしまうという問題があった。
本発明は、このような実情に鑑みてなされたもので、アウターウエアとして着用した際に胸元が透けて見えないような構成とすることにより、着用者が安心して利用することができるアウターウエア兼用型インナーウエアの提供を目的とする。
【０００４】
【課題を解決するための手段】
請求項１記載の発明は、前身頃と後身頃とからなり、少なくとも前記前身頃全体が、本体生地と、該本体生地の内側に設けられた透視防止用生地とから構成されてなり、前記本体生地がレース生地であって、前記本体生地と透視防止用生地が衿ぐり部及び袖ぐり部において袋縫いにより縫着されていることを特徴とするアウターウエア兼用型インナーウエアである。
【０００５】
請求項２記載の発明は、前記透視防止用生地が、吸汗性、肌触り性、抗アレルギー性の少なくともいずれか一つの性質が良好な生地であることを特徴とする請求項１に記載のアウターウエア兼用型インナーウエアである。
【０００７】
【発明の実施の形態】
本発明の実施形態について、図面を参照しつつ説明する。
図１は、本発明に係るアウターウエア兼用型インナーウエアの第１実施形態を示す正面図である。図２は、図１に示すアウターウエア兼用型インナーウエアの背面図である。図３は、図１に示すアウターウエア兼用型インナーウエアを着用した状態を示す図である。図４は、図１に示すアウターウエア兼用型インナーウエアのＡ−Ａ線断面図である。
【０００８】
第１実施形態に係るアウターウエア兼用型インナーウエア（１）（以下、インナーウエア（１）と称する）は、前身頃（２）と後身頃（３）とからなり、前身頃（２）全体のうち少なくとも胸対応部（４）が、本体生地（６）と、本体生地（６）の内側に設けられた透視防止用生地（５）とから構成されているものである。
以下、この第１実施形態に係るインナーウエア（１）について詳説する。
【０００９】
本体生地（６）は、インナーウエア（１）の基本を構成するものである。本体生地（６）の種類は、特に限定されるものではないが、例えば、レース生地を採用することができる。このインナーウエア（１）は、夏期用の遊び着として着用されることが多いため、本体生地（６）は、装飾性に優れた生地から構成されていることが望ましく、そういった意味では、レース生地から構成されていることが好ましい。
また、このインナーウエア（１）は、通常、夏季に着用されるものであるから、通気性が良い素材から構成されることが望ましい。この本体生地（６）自体は、透けて見え易い素材から構成されていてもよいし、透けて見えにくい素材から構成されていてもよいが、通常は、装飾性を考慮してレース生地等の透けて見えやすい生地から構成される。
本発明においては、前身頃（２）及び後身頃（３）はそれぞれ、基本的に本体生地（６）から構成されている。本発明においては、前身頃（２）及び後身頃（３）の本体生地（６）はそれぞれ、１種の生地から構成されていてもよいが、胸対応部、ウエスト対応部等、各部分毎に互いに異なった生地から構成されていてもよい。第１実施形態では、前身頃（２）及び後身頃（３）の本体生地（６）はそれぞれ、１種の生地から構成されており、図示例では、前身頃（２）はレース生地、後身頃（３）は吸汗性、肌触り性、抗アレルギー性を考慮して、木綿、シルク、テンセル、リヨセル等の天然繊維生地、あるいはこれらの性質の少なくともいずれか一つが良好な合成繊維生地から構成されている。
【００１０】
透視防止用生地（５）は、本体生地（６）の内側に重ねて設けられることにより、インナーウエアー（１）の内側、少なくとも胸元が透けて見えるのを防止するものである。透視防止用生地（５）は、できればこれ自体が透けて見えにくい生地から構成されていることが好ましいが、必ずしもこれ自体が透けて見えない生地である必要はなく、本体生地（６）と重ね合わせることによって外部からの透視を防止できる素材から構成されていればよい。このような素材であれば透視防止用生地（５）の種類は、特に限定されるものではないが、例えば、比較的編み目の細かい編物生地、その一例としてフライス編生地を採用することができる。この透視防止用生地（５）は、前記したように、本体生地（６）の内側に重ねて設けられる生地であるから、本体生地（６）の通気性を損ねない種類のものを採用することが好ましい。そのようなものとしては、例えば、伸縮性のよい編物生地を挙げることができる。なお、この透視防止用生地（５）は、本体生地（６）の内側に設けられて肌に接触することがあるため、吸汗性、肌触り性に優れ、またアレルギー反応を起こしにくい木綿、シルク、テンセル、リヨセル等の天然繊維生地、あるいはこれらの性質の少なくともいずれか一つを有する合成繊維生地から構成されることが好ましい。透視防止用生地（５）の編み方は特に限定されないが、例えば、フライス編を採用することができる。
なお、本体生地（６）へ透視防止用生地（５）を取り付ける手段は特に限定されないが、例えば縫着によって取り付けることができる。この第１実施形態では、透視防止用生地（５）は、前身頃（２）全体に設けられている。また、本体生地（６）との縫着は、袋縫いであることが好ましい。袋縫いとすることにより、本体生地（６）及び透視防止用生地（５）の裁ち端が各々くるまれた状態となるので、その縫着部分付近が肌へ当たったときの感触が柔らかとなる。図示例では、衿ぐり部、袖ぐり部の双方で袋縫いがなされている。
【００１１】
本発明では、前身頃（２）の胸対応部（４）が、本体生地（６）の内側に透視防止用生地（５）を設けた２重構造となっているので、本体生地（６）が、薄かったり或いはレース生地のように透けて見え易い生地から構成されている場合でも、透視防止用生地（５）によって胸元が透けて見えるのを防止することができる。従って、インナーウエア（１）の下にブラジャーを着用していたり、或いはインナーウエア（１）の下に何も着用していない場合でも、ブラジャーや乳房が透けて見えることがなく、インナーウエア（１）の着用者は、安心してこれを着用することができる。
【００１２】
なお、図２に示す例では、後身頃（３）は本体生地（６）のみで構成され、透視防止用生地（５）は設けられていないが、本発明では、後身頃（３）においても、その一部または全体において本体生地（６）に透視防止用生地（５）を重ねて設けてもよい。
【００１３】
図５は、本発明に係るアウターウエア兼用型インナーウエアの第２実施形態を示す正面図である。図６は、図５に示すアウターウエア兼用型インナーウエアの背面図である。図７は、図５に示すアウターウエア兼用型インナーウエアを着用した状態を示す図である。図８は、図５に示すアウターウエア兼用型インナーウエアのＢ−Ｂ線断面図である。
【００１４】
この第２実施形態に係るアウターウエア兼用型インナーウエア（１）（以下、インナーウエア（１）と称する）が上記した第１実施形態と異なる点は、前身頃（２）における本体生地（６）の種類が、ある部分を境として互いに異なっている点であり、その他の構成については第１実施形態と同様とすることができる。その相違点について具体的に述べると、前身頃（２）の裾（７）から乳房対応部の上縁（８）までの部分に設けられる本体生地（６ａ）と、乳房対応部の上縁（８）より上方すなわち乳房対応部の上縁（８）から袖ぐり（９）までの部分及び乳房対応部の上縁（８）から衿ぐり（１０）までの部分に設けられる本体生地（６ｂ）とが互いに異なる種類の生地とされている。なお、図示例では、乳房対応部の上縁（８）の形状は、上側に凸の２つの弧が胸対応部中心線上で繋がった形状とされている。なお、図示例では、乳房対応部の上縁（８）より下方に設けられる本体生地（６ａ）がレース生地とされ、乳房対応部の上縁（８）より上方に設けられる本体生地（６ｂ）が、レース生地以外の編物生地、例えば、フライス編生地、その一例として木綿フライス編生地とされている。
【００１５】
このように、乳房対応部の上縁（８）を境として本体生地（６）の種類を変えることにより、パターン上で立体的にされた境界部分で生地の種類が変化し、更に美しい乳房輪郭ラインを強調することができる。
【００１６】
図９は、本発明に係るアウターウエア兼用型インナーウエアの第３実施形態を示す正面図である。図１０は、図９に示すアウターウエア兼用型インナーウエアの背面図である。図１１は、図９に示すアウターウエア兼用型インナーウエアを着用した状態を示す図である。図１２は、図９に示すアウターウエア兼用型インナーウエアのＣ−Ｃ線断面図である。
【００１７】
この第３実施形態に係るアウターウエア兼用型インナーウエア（１）（以下、インナーウエア（１）と称する）が上記した第１実施形態と異なる点は、裾（７）からウエスト対応部（１１）までの部分の生地が一重となっている点であり、その他の構成については、第１実施形態と同様とすることができる。図示例では、この部分には本体生地（６）を設けず、この部分を透視防止用生地（５）のみで構成している。
このように、裾（７）からウエスト対応部（１１）までの部分の生地を一重とすることにより、裾（７）からウエスト対応部（１１）までの部分が薄い仕上がりとなる。この場合、裾（７）からウエスト対応部（１１）までの部分を必要に応じてスカートやパンツの中にすっきりと入れることができるので、綺麗な着こなしをすることができる。
なお、第３実施形態に係るインナーウエア（１）の着用者は、この一重部分がスカートやパンツから出るように着用してもよい。
【００１８】
図１３は、本発明に係るアウターウエア兼用型インナーウエアの第４実施形態を示す正面図である。図１４は、図１３に示すアウターウエア兼用型インナーウエアの背面図である。図１５は、図１３に示すアウターウエア兼用型インナーウエアを着用した状態を示す図である。図１６は、図１３に示すアウターウエア兼用型インナーウエアのＤ−Ｄ線断面図である。
【００１９】
この第４実施形態に係るアウターウエア兼用型インナーウエア（１）（以下、インナーウエア（１）と称する）は、上記した第２実施形態と第３実施形態を組み合わせたものである。つまり、前身頃（２）の裾（７）からウエスト対応部（１１）までの部分は生地が一重となっている。また、前身頃（２）のウエスト対応部（１１）から乳房対応部の上縁（８）までの部分に設けられた本体生地（６ａ）と、乳房対応部の上縁（８）より上方すなわち乳房対応部の上縁（８）から袖ぐり（９）までの部分及び乳房対応部の上縁（８）から衿ぐり（１０）までの部分に設けられる本体生地（６ｂ）とは互いに異なる種類の生地が使用されている。図示例では、本体生地（６ａ）としてレース生地が使用され、本体生地（６ｂ）としてレース生地以外の編物生地、例えばフライス編生地、その一例として木綿フライス編生地が使用され、また透視防止用生地（５）として、吸汗性、肌触り性に優れ、またアレルギー反応を起こしにくい木綿、シルク、テンセル、リヨセル等の天然繊維生地、あるいはこれらの性質の少なくともいずれか一つを有する合成繊維生地が使用されている。透視防止用生地（５）の編み方は特に限定されないが、例えば、フライス編が採用される。
このような構成とすることにより、第２実施形態の効果と第３実施形態の効果の双方を奏することができる。
【００２０】
なお、上記各実施形態は全て袖の無いタイプとして説明してきたが、本発明は、袖の有るタイプとして実施することもできる。
【００２１】
【発明の効果】
請求項１記載の発明は、前身頃と後身頃とからなり、前記前身頃全体のうち少なくとも胸対応部が、本体生地と、該本体生地の内側に設けられた透視防止用生地とから構成されていることを特徴とするアウターウエア兼用型インナーウエアであるから、以下の効果を奏する。
すなわち、本体生地の内側に透視防止用生地を設けてその部分を２重構造とすることにより、本体生地が透けて見え易い生地であっても、透視防止用生地を設けることによって胸元が透けて見えるのを防止することができる。従って、このインナーウエアの着用者は、安心してこれを着用することができる。
【００２２】
請求項２記載の発明は、前記本体生地がレース生地であり、前記透視防止用生地が、吸汗性、肌触り性、抗アレルギー性の少なくともいずれか一つの性質が良好な生地であることを特徴とする請求項１に記載のアウターウエア兼用型インナーウエアであるから、以下の効果を奏する。
すなわち、外側の生地をレース生地とし、内側の生地を吸汗性、肌触り性、抗アレルギー性の少なくともいずれか一つの性質が良好な生地とすることにより、夏期用の遊び着としての装飾性を高めると同時に、吸汗性、肌触り性に優れ、またアレルギー反応を起こしにくい着衣とすることができる。
【００２３】
請求項３記載の発明は、前記前身頃全体及び後見頃全体のうち、ウエスト対応部から裾までの部分はそれぞれ、生地が一重となっていることを特徴とする請求項１に記載のアウターウエア兼用型インナーウエアであるから、以下の効果を奏する。
すなわち、裾からウエスト対応部までの部分の生地を一重とすることにより、裾からウエスト対応部までの部分が薄い仕上がりとなる。従って、裾からウエスト対応部までの部分を必要に応じてスカートやパンツの中にすっきりと入れることができるので、綺麗な着こなしをすることができる。
【図面の簡単な説明】
【図１】本発明に係るアウターウエア兼用型インナーウエアの第１実施形態を示す正面図である。
【図２】図１に示すアウターウエア兼用型インナーウエアの背面図である。
【図３】図１に示すアウターウエア兼用型インナーウエアを着用した状態を示す図である。
【図４】図１に示すアウターウエア兼用型インナーウエアのＡ−Ａ線断面図である。
【図５】本発明に係るアウターウエア兼用型インナーウエアの第２実施形態を示す正面図である。
【図６】図５に示すアウターウエア兼用型インナーウエアの背面図である。
【図７】図５に示すアウターウエア兼用型インナーウエアを着用した状態を示す図である。
【図８】図５に示すアウターウエア兼用型インナーウエアのＢ−Ｂ線断面図である。
【図９】本発明に係るアウターウエア兼用型インナーウエアの第３実施形態を示す正面図である。
【図１０】図９に示すアウターウエア兼用型インナーウエアの背面図である。
【図１１】図９に示すアウターウエア兼用型インナーウエアを着用した状態を示す図である。
【図１２】図９に示すアウターウエア兼用型インナーウエアのＣ−Ｃ線断面図である。
【図１３】本発明に係るアウターウエア兼用型インナーウエアの第４実施形態を示す正面図である。
【図１４】図１３に示すアウターウエア兼用型インナーウエアの背面図である。
【図１５】図１３に示すアウターウエア兼用型インナーウエアを着用した状態を示す図である。
【図１６】図１３に示すアウターウエア兼用型インナーウエアのＤ−Ｄ線断面図である。
【符号の説明】
１・・・・・アウターウエア兼用型インナーウエア
２・・・・・前身頃
３・・・・・後身頃
４・・・・・胸対応部
５・・・・・透視防止用生地
６・・・・・本体生地
７・・・・・裾
１１・・・・・ウエスト対応部
【図１】
0004031186.tif 000002
【図２】
0004031186.tif 000003
【図３】
0004031186.tif 000004
【図４】
0004031186.tif 000005
【図５】
0004031186.tif 000006
【図６】
0004031186.tif 000007
【図７】
0004031186.tif 000008
【図８】
0004031186.tif 000009
【図９】
0004031186.tif 000010
【図１０】
0004031186.tif 000011
【図１１】
0004031186.tif 000012
【図１２】
0004031186.tif 000013
【図１３】
0004031186.tif 000014
【図１４】
0004031186.tif 000015
【図１５】
0004031186.tif 000016
【図１６】
0004031186.tif 000017